(57)【要約】      （修正有）【課題】両手の握力が弱くなってもタオルを長手方向に何枚かに折り畳んで体を洗うことのできる身体洗浄兼機能回復用タオルを提供する。【解決手段】タオル１２の両端部であって、このタオル１２を長手方向に４つ折りにする３本の折り目仮想線１５のうちの２本の山折り折り目仮想線１５の位置に、手１７や指１８をかけるゴム輪１６を取り付ける。両腕を広げると、手に握力がなくても、タオルは、全体が長手方向に４つ折りとなる。４つ折りになったタオルを、両手を背中側に回し、両腕を左右に交互に引くと、肩部分を４つ折りのタオルで洗うことができる。背中を洗う場合の他に、腹、足、その他の身体全体を洗ったり、拭いたり、することもできる。また、エキスパンダーのように両腕を伸ばしたり、縮めたりして、指、腕などの機能回復のための用具として使用することもできる。【選択図】図２
0003152847.tif 000002
【実用新案登録請求の範囲】
【請求項１】
タオルの両端部であって、このタオルを長手方向に４つ折りにする３本の折り目仮想線のうちの２本の山折り折り目仮想線の位置に、指をかけるゴム輪を取り付けたことを特徴とする身体洗浄兼機能回復用タオル。
【請求項２】
タオルの両端部であって、このタオルを長手方向に３つ折りにする２本の折り目仮想線のうちの山折り折り目仮想線の位置と、この山折り折り目仮想線から離れたタオルの側縁部に、指をかけるゴム輪を取り付けたことを特徴とする身体洗浄兼機能回復用タオル。
【請求項３】
タオルにおける山折りの折り目仮想線にひだを形成し、このひだの位置にゴム輪を取り付けたことを特徴とする請求項１または２記載の身体洗浄兼機能回復用タオル。
【考案の詳細な説明】
【技術分野】
【０００１】
本考案は、病気で両手の握力が弱くなり、タオルを強く握れなくなっても背中などの洗浄用として、また、機能回復用として使用することのできる身体洗浄兼機能回復用タオルに関するものである。
【背景技術】
【０００２】
片腕の動きが不自由な人が、他方の腕さえ自由に動けば、入浴時に自分で背中を洗うことのできるタオルが提案されている（特許文献１）。
この特許文献１のタオルは、図７に示すように、タオル１０の一方の端部に、タオルの幅と略同じ大きさのゴム輪１１を、タオル１０の一部を折り返して縫い込み取り付けたものである。このタオル１０を使用して自分で背中を洗うには、ゴム輪１１を動きの不自由な腕側の手の平にかけ、タオル１０の他端を肩から背中に回し、斜め下の腰の位置で自由に動く手を使ってタオル１０の端を握る。握った手の方を引っ張ると、ゴム輪１１が伸び、力を緩めるとゴム輪１１の弾性で元に戻るので、この動作を繰り返すことにより背中を洗うことができる、とするものである。
【先行技術文献】
【特許文献】
【０００３】
【特許文献１】実開平６−７０７２８号公報
【考案の概要】
【考案が解決しようとする課題】
【０００４】
特許文献１に記載の考案は、片腕の動きが不自由な人のためのものであるから、両手の握力が弱くなった人には、使用できないこと、自由に動く手を使って握っている側のタオル１０の端部分は絞られて丸くなるが、ゴム輪１１の付いている端の部分は、タオル１０が広がったままであり、凹凸のある背中全体を十分に洗うことができないことなどの問題があった。
本考案は、両手の握力が弱くなってもタオルを長手方向に何枚かに折り畳んで体を洗うことのできる身体洗浄兼機能回復用タオルを提供することを目的とするものである。
【課題を解決するための手段】
【０００５】
本考案は、タオルの両端部であって、このタオルを長手方向に４つ折りにする３本の折り目仮想線のうちの２本の山折り折り目仮想線の位置に、手や足の指をかけるゴム輪を取り付けたことを特徴とする。
【０００６】
また、本考案は、タオルの両端部であって、このタオルを長手方向に３つ折りにする２本の折り目仮想線のうちの山折り折り目仮想線の位置と、この山折り折り目仮想線から離れたタオルの側縁部に、手や足の指をかけるゴム輪を取り付けたことを特徴とする。
【０００７】
さらに、本考案は、タオルが長手方向に折り畳まれ易くするために、タオルにおける山折りの折り目仮想線にひだを形成し、このひだの位置にゴム輪を取り付けたことを特徴とする。
【考案の効果】
【０００８】
請求項１記載の考案によれば、タオルの両端部であって、このタオルを長手方向に４つ折りにする３本の折り目仮想線のうちの２本の山折り折り目仮想線の位置に、指をかけるゴム輪を取り付けたので、両手の握力が弱くなった人が、両手の指にゴム輪をかけた状態で両腕を広げると、タオルは、２本の折り目仮想線で山折となり、他の折り目仮想線で谷折りとなり、手に握力がなくても、タオルは、全体が長手方向に４つ折りとなる。
４つ折りになったタオルを、両手を背中側に回し、両腕を左右に交互に引くと、肩部分を４つ折りのタオルで洗うことができる。
背中を洗う場合の他に、腹、足、その他の身体全体を洗ったり、拭いたり、することもできる。
また、両方の手の指にかけ、エキスパンダーのように両腕を伸ばしたり、縮めたりして、指、腕などの機能回復のための用具として使用することもできる。さらに、両足の指にかけたり、いずれか一方の手の指と、いずれか一方の足の指にかけたりして機能回復のための用具として使用することもできる。
ゴム輪は、ある程度の幅があり、弾力性も機能に不安のある指や手首に負担がかかる恐れのないものを選択することで、より快適に身体洗浄用や機能回復用としての機能を果たすことができる。
【０００９】
請求項２記載の考案によれば、タオルの両端部であって、このタオルを長手方向に３つ折りにする２本の折り目仮想線のうちの山折り折り目仮想線の位置と、この山折り折り目仮想線から離れたタオルの側縁部に、指をかけるゴム輪を取り付けたので、タオルを３つ折りにして前述同様に使用することができる。
【００１０】
請求項３記載の考案によれば、タオルにおける山折りの折り目仮想線にひだを形成し、このひだの位置にゴム輪を取り付けたので、折り畳みのしにくい布地であっても長手方向に容易に折り畳みができる。
【図面の簡単な説明】
【００１１】
【図１】本考案による身体洗浄兼機能回復用タオルの一実施例を示す平面図である。
【図２】本考案による身体洗浄兼機能回復用タオルを指にかけた状態を示す部分拡大図である。
【図３】本考案による身体洗浄兼機能回復用タオルを使用して背中を洗っている状態を示す斜視図である。
【図４】本考案による身体洗浄兼機能回復用タオルを指にかけて折り畳んでいる状態の斜視図である。
【図５】本考案による身体洗浄兼機能回復用タオルの他の実施例を示すもので、（ａ）は、平面図、（ｂ）は、斜視図である。
【図６】本考案による身体洗浄兼機能回復用タオルのさらに他の実施例を示す一部の斜視図である。
【図７】従来のタオル１０の斜視図である。
【考案を実施するための形態】
【００１２】
本考案は、タオル１２の両端部であって、タオル１２を長手方向に４つ折りにする３本の折り目仮想線１５のうちの２本の山折り折り目仮想線１５の位置に、手１７をかけるゴム輪１６を取り付けることによって、身体洗浄用として、また、機能回復用として使用することができる。
【実施例１】
【００１３】
本考案による実施例１を図１及び図２に基づき説明する。
１２は、体を洗うときに使用されるタオルで、このタオル１２は、長辺部１３が約８０ｃｍ、短辺部１４が約３０ｃｍのタオルの布地であるが、その他に手拭いの布地、化学繊維の布地、不織の布地などであってもよい。また、このタオル１２における長辺部１３と短辺部１４の長さは、上記例に限られるものではない。
このタオル１２の両端の短辺部１４側には、２個ずつのゴム輪１６（ゴム輪１６ａ、１６ｂ、１６ｃ、１６ｄ）が縫い付け等で取り付けられている。これらゴム輪１６の取り付け位置は、タオル１２を長手方向に略４つ折りする３本の折り目仮想線１５（１５ａ、１５ｂ、１５ｃ）のうちの両側縁に近い折り目仮想線１５ａ、１５ｃの両端部にそれぞれゴム紐をリング状にして取り付ける。このゴム輪１６は、図２に示すように、手１７の指１８に簡単に嵌め込めでき、しかも、容易に抜け出ないように指１８の太さの約２〜３倍の大きさとする。
前記ゴム輪１６は、輪ゴムのように弾力性が弱すぎたり、細すぎたりするとタオル１２の自重で伸び切ってしまったり、指に食い込んだりして、身体洗浄用や機能回復用としての機能を果たすことができない。また、弾力性が強すぎると、機能に不安のある指や手首に負担がかかる恐れがある。そのため、幅が０．５〜１．０ｍｍ程度であって指に食い込むことがなく、伸ばしたとき指や手首に急に強い力がかからずに、抵抗なく２〜３倍に伸びるゴム紐が使用される。このゴム紐は、ゴムを縫い込んだものでなく、織り方で弾力性を持たせたものをも含むものである。
【００１４】
このように構成したタオル１２を使用して背中を洗うときには、左手１７ａの親指１８ａに一方のゴム輪１６ａをかけ、薬指１８ｂに他方のゴム輪１６ｂをかける。また、右手１７ｂの親指１８ａに一方のゴム輪１６ｃをかけ、薬指１８ｂに他方のゴム輪１６ｄをかける。前記薬指１８ｂは、薬指以外の中指、小指、人差し指でもよい。
両手の２本の指にゴム輪１６をかけた状態で両腕を広げると、図２に示すように、タオル１２は、折り目仮想線１５ａと１５ｃで山折となり、折り目仮想線１５ｂで谷折りとなるので、手１７に握力がなくても、タオル１２は、全体が長手方向に４つ折りとなる。
【００１５】
４つ折りになったタオル１２を、図３に示すように、両手を背中側に回し、両腕を左右に交互に引くと、肩部分を４つ折りのタオル１２で洗うことができる。
両手を背中側に回し、一方の腕を下向きに回すと、タオル１２は、鎖線で示すように背中で斜めになるので、４つ折りのタオル１２で他方の肩部分から腰部分まで斜めに洗うことができる。一方の腕を上にして他方の腕を下向きに回せば、逆方向の斜め洗いができる。
両方の腕を下向きに回せば腰部分を洗うことができる。
【００１６】
図３では、背中を洗う場合について説明したが、背中を洗う場合の他に、腹、足、その他の身体全体を洗ったり、拭いたりすることができる。
また、両方の手１７の指１８にゴム輪１７をかけてエキスパンダーのように、両腕を伸ばしたり、縮めたりすると、このゴム輪１７部分が伸縮して指、腕などの機能回復のための用具として使用することもできる。さらに、両足の指にかけたり、いずれか一方の手１７の指１８と、いずれか一方の足の指にかけたりして機能回復のための用具として使用することもできる。
【００１７】
タオル１２を使用した後に洗濯、乾燥して収納するときには、図２に示すように、タオル１２の両端のゴム輪１６を手１７の指１８にかけ、両腕を広げて４つ折りにした状態で、図４に示すように、一方の手１７をタオル１２の内側に移動してタオル１２の長さの約３分の１の位置で折り畳み、指１８からゴム輪１６を外し、次いで他方の手１７をその上に重ねるように移動して指１８からゴム輪１６を外すと、タオル１２は、４つ折りした状態で３つ重ねに折り畳まれる。
【実施例２】
【００１８】
前記実施例では、図１に示すように、タオル１２を４つ折りにする例を説明したが、これに限られるものではなく、図５（ａ）に示すように、２本の折り目仮想線１５ａと１５ｂで３つ折りにする場合において、ゴム輪１６ａと１６ｃは、長辺部１３の一方の側縁部に取り付け、ゴム輪１６ｂと１６ｄは、一方の側縁部から遠い方の折り目仮想線１５ｂの両端部に取り付ける。
このような構成とすることにより、両側のゴム輪１６を両手の指１８にかけて腕を開くように伸ばすと、図５（ｂ）のように、タオル１２は、３つ折り状態となる。
このような３つ折り状態でのタオル１２の使用方法は、前述の４つ折りの場合と同様である。
【実施例３】
【００１９】
前記実施例では、やわらかなタオル布地や手拭い布地を使用することで、両側のゴム輪１６を両手の指１８にかけて腕を開くように伸ばすと、タオル１２は、容易に４つ折りや３つ折りとなるが、タオル１２が比較的硬かったり、厚手だったりして４つ折り又は３つ折りができにくい材質の場合には、図６（ａ）（ｂ）に示すように、折り目仮想線１５の位置に、ひだ１９を形成して、このひだ１９の位置にゴム輪１６を取り付けるようにしてもよい。
【符号の説明】
【００２０】
１０…タオル、１１…ゴム輪、１２…タオル、１３…長辺部、１４…短辺部、１５…折り目仮想線（１５ａ、１５ｂ、１５ｃ）、１６…ゴム輪（１６ａ、１６ｂ、１６ｃ、１６ｄ）、１７…手（左手１７ａ、右手１７ｂ）、１８…指（親指１８ａ、薬指１８ｂ）、１９…ひだ。
【図１】
0003152847.tif 000003
【図２】
0003152847.tif 000004
【図３】
0003152847.tif 000005
【図４】
0003152847.tif 000006
【図５】
0003152847.tif 000007
【図６】
0003152847.tif 000008
【図７】
0003152847.tif 000009